(57)【特許請求の範囲】
【請求項１】
トリム本体の車室内側に内装部品が取り付けられてなる車両用内装材であって、
車室内側を向く主面を有する主壁部と、前記主壁部の外周端から車室外側に延設される側壁部と、を備え、
前記内装部品は、前記主壁部を構成する内装部品側主壁部を少なくとも有し、
前記トリム本体は、前記側壁部を構成する本体側側壁部と、前記本体側側壁部から前記主壁部の内方に向けて前記内装部品側主壁部に沿って延びる延長面部と、を少なくとも有し、
前記内装部品側主壁部には、前記延長面部と対向する面から前記延長面部に向かって突出するとともに前記延長面部に対して取り付けられる取付突部が設けられ、
前記延長面部には、前記取付突部が挿通される貫通孔が形成されるとともに、前記本体側側壁部に対して車室内外方向に荷重が入力された際に、当該延長面部が前記貫通孔に挿通された前記取付突部に対して当該延長面部の延長方向に相対移動することを許容する移動許容部が設けられ、
前記延長面部の前記延長方向には、前記内装部品側主壁部に覆われる位置に、相対移動した前記延長面部が進入可能な空間が形成されていることを特徴とする車両用内装材。
【請求項２】
前記移動許容部及び前記貫通孔は、互いに連通して形成された長孔とされ、
前記長孔は、前記主壁部の外方に向かって延びる形で形成されていることを特徴とする請求項１に記載の車両用内装材。
【請求項３】
前記取付突部は、前記長孔における前記主壁部の内方側の位置で前記長孔に対して挿通されるとともに前記長孔の孔縁に係止されていることを特徴とする請求項２に記載の車両用内装材。
【発明の詳細な説明】
【技術分野】
【０００１】
本発明は、車両用内装材に関する。
【背景技術】
【０００２】
従来、車両用内装材として、下記特許文献１に記載のものが知られている。特許文献１に記載のドアトリム（車両用内装材）では、アームレスト部の後端面に切欠状の破断用溝部が設けられる構成が開示されている。そして、側面衝突時にアームレスト部に衝撃が加わると、破断用溝部に沿った肉厚の特に薄い部分が破断して、箱型のアームレスト部の後端面が略Ｌ字形に大きく開口するので、アームレスト部が潰れ易くなり、衝撃を十分に吸収することができる、と記載されている。
【先行技術文献】
【特許文献】
【０００３】
【特許文献１】特開２０００−１０３２３０号公報
【発明の概要】
【発明が解決しようとする課題】
【０００４】
しかしながら、特許文献１のような構成では、アームレスト部の後端面、すなわち、ドアトリムの側壁部自体の剛性が、側壁部に破断用溝部が設けられていない構成に比べて低下することとなる。このため、通常使用時におけるドアトリムの剛性が損なわれることが懸念される。
【０００５】
また、特許文献１のような構成では、ドアトリムの側壁部の意匠面とは反対側の面に溝部を設定する構成であるため、側壁部の意匠面にツヤムラが発生する等して、その意匠性が損なわれることが懸念される。
【０００６】
本発明は上記のような事情に基づいて完成されたものであって、通常使用時における剛性や意匠性を確保しつつ、車両衝突時における衝撃吸収性能を向上することが可能な車両用内装材を提供することを目的とする。
【課題を解決するための手段】
【０００７】
上記課題を解決するために、本発明の車両用内装材は、トリム本体の車室内側に内装部品が取り付けられてなる車両用内装材であって、車室内側を向く主面を有する主壁部と、前記主壁部の外周端から車室外側に延設される側壁部と、を備え、前記内装部品は、前記主壁部を構成する内装部品側主壁部を少なくとも有し、前記トリム本体は、前記側壁部を構成する本体側側壁部と、前記本体側側壁部から前記主壁部の内方に向けて前記内装部品側主壁部に沿って延びる延長面部と、を少なくとも有し、前記内装部品側主壁部には、前記延長面部と対向する面から前記延長面部に向かって突出するとともに前記延長面部に対して取り付けられる取付突部が設けられ、前記延長面部には、前記取付突部が挿通される貫通孔が形成されるとともに、前記本体側側壁部に対して車室内外方向に荷重が入力された際に、当該延長面部が前記貫通孔に挿通された前記取付突部に対して前記主壁部の内方に相対移動することを許容する移動許容部が設けられている。
【０００８】
本発明によれば、延長面部に移動許容部が設けられているから、通常使用時における側壁部自体の剛性及び意匠性を確保しつつ、車両衝突時には、入力荷重によって延長面部が取付突部に対して主壁部の内方に相対移動することにより、本体側側壁部を主壁部に対して倒れ易くすることができる。このため、本体側側壁部が主壁部に対して倒れるようにして車両用内装材が潰れることにより、車両用内装材が車両衝突時における衝撃エネルギーを効率よく吸収するものとすることができる。
【０００９】
上記構成において、前記移動許容部及び前記貫通孔は、互いに連通して形成された長孔とされ、前記長孔は、前記主壁部の外方に向かって延びる形で形成されているものであってもよい。
【００１０】
このような構成によれば、取付突部が長孔内を移動する態様で、延長面部が主壁部の内方に相対移動するものとすることができ、移動許容部及び貫通孔において取付突部が移動することを妨げるものがない。このため、好適に、本体側側壁部を主壁部に対して倒れ易くすることができる。
【００１１】
上記構成において、前記取付突部は、前記長孔における前記主壁部の内方側の位置で前記長孔に対して挿通されるとともに前記長孔の孔縁に係止されるものであってもよい。
【００１２】
このような構成によれば、取付突部が長孔における主壁部の内方側の孔縁に係止されるものとすることができ、例えば、主壁部の内方側の孔縁に係止されない構成に比べて、移動許容部を設けたことに起因して、取付突部が延長面部に係止される係止力が低下することを抑制することができる。
【発明の効果】
【００１３】
本発明によれば、通常使用時における剛性や意匠性を確保しつつ、車両衝突時における衝撃吸収性能を向上することが可能な車両用内装材を提供することができる。
【図面の簡単な説明】
【００１４】
【図１】本発明の実施形態１に係るドアトリムを示す斜視図
【図２】図１のアッパーボード部とメインボード部を示すドアトリムの一部断面図（図１のＩＩ−ＩＩ線で切断した図に対応）
【図３】図２の車両側突時におけるアッパーボード部とメインボード部の変形態様の一例を示すドアトリムの一部断面図
【図４】延長面部と移動許容部を示すドアトリムを裏側から視た平面図
【図５】本発明の実施形態２に係る延長面部と移動許容部を示すドアトリムを裏側から視た平面図
【発明を実施するための形態】
【００１５】
＜実施形態１＞
本発明の実施形態１を図１ないし図４によって説明する。実施形態１では、車両に設けられた車両用内装材の一例であるドアトリム２０を例示する。なお、図１における左側を車両前方とし、右側を車両後方として説明する。
【００１６】
ドアトリム２０は、インナパネル１２（図２参照）及びアウタパネル（図示せず）から構成される車両パネルに対して、その車室内側に取り付けられることで車両用ドアを構成する。なお、この車両用ドアは、搭乗者が着座する座席側方に位置して、車両のサイドドアとして使用されるものである。
【００１７】
ドアトリム２０は、板状をなすトリムボード２１を主体に構成されている。トリムボード２１は、例えばポリプロピレン等の合成樹脂材料などによって構成されている。なお、トリムボード２１の材質は、合成樹脂材料に限定されず、例えば、木質系材料と合成樹脂を混合したものなどを用いてもよい。
【００１８】
トリムボード２１は、図１に示すように、車室内側を向く主面２２Ａを有する主壁部２２と、主壁部２２の外周端２２Ｃから車室外側に延設される側壁部２３と、を備えている。具体的には、トリムボード２１は、主壁部２２がインナパネル１２とほぼ同じ大きさの略方形状をなし、側壁部２３が主壁部２２の車両前端、車両下端、車両後端からそれぞれ車室外側に延設される形で構成されている。言い換えれば、トリムボード２１は、インナパネル１２側に開口した浅底の箱状をなし、その底面をなす主壁部２２と、その側面をなす側壁部２３とで構成されている。また、トリムボード２１は、側壁部２３の車室外側の端部からフランジ状に延びるフランジ部２４を更に備えている。
【００１９】
主壁部２２は、ドアパネル（インナパネル１２）と対向する姿勢で配置されている（図２参照）。言い換えれば、主壁部２２は、車両側突時等において、車室外側からドアパネル（インナパネル１２）を介して入力される荷重をその壁面で受ける構成とされる。主壁部２２は、インナパネル１２と対向する面とは反対側の主面２２Ａが車室内（搭乗者）に臨む意匠面とされている。
【００２０】
側壁部２３は、図２に示すように、車室内外方向に沿って延在し、その車室内側において主壁部２２と一体的に形成されている。一方、側壁部２３は、その車室外側において、フランジ部２４を介して間接的にまたは直接的にインナパネル１２に当接可能に構成されている。言い換えれば、側壁部２３は、車両側突時等において、車室内側に侵入したインナパネル１２が側壁部２３に当接する際には、主壁部２２とインナパネル１２との間に介在する立壁状をなす。
【００２１】
側壁部２３は、図１に示すように、主壁部２２（主面２２Ａ）の外方を向く表面２３Ａが、車両用ドアを開けた状態において搭乗者に視認される意匠面とされる。なお、表面２３Ａは、車両用ドアを閉めた状態では、車両用ドアに隣接して配されたピラーに隠れるように配置され、車室内から視認され難くなっている。
【００２２】
トリムボード２１は、図１に示すように、その上部がアッパーボード部３０で構成され、アッパーボード部３０より下側の大部分がメインボード部４０で構成される。トリムボード２１は、図２に示すように、メインボード部４０（トリム本体）の車室内側にアッパーボード部３０（内装部品）が取り付けられてなる。具体的には、アッパーボード部３０の車両後側の部分がメインボード部４０の車室内側に取り付けられている。なお、アッパーボード部３０の車両下側の部分は、メインボード部４０の車室外側に配され、その車室内側にメインボード部４０及び加飾部材１８が取り付けられている。
【００２３】
アッパーボード部３０には、図２に示すように、その表面側に、天然皮革や合成皮革等の皮革や、織物、編物、不織布等の布帛等からなる表皮材３５が貼り付けられている。このような構成により、ドアトリム２０を意匠性に優れたものとすることができる。
【００２４】
アッパーボード部３０は、図２に示すように、主壁部２２を構成する内装部品側主壁部３２と、内装部品側主壁部３２の外周端（車両後端）から車室外側に延設され、側壁部２３を構成する内装部品側側壁部３３と、を有している。また、アッパーボード部３０には、内装部品側主壁部３２の裏面３２Ｂ（主面２２Ａと反対側の面）から突出し、アッパーボード部３０をメインボード部４０に対して取り付けるための取付突部３４が設けられている。
【００２５】
内装部品側主壁部３２は、車両前後方向に沿って延びる長手状をなし、主壁部２２のうち車両上側の部分を構成する。内装部品側側壁部３３は、図２に示すように、内装部品側主壁部３２から車両後方かつ車両外側に湾曲しつつ延びる形とされ、側壁部２３における車両上側の車室内側の部分を構成する。内装部品側側壁部３３は、その端末３３Ｃから裏面側に巻き込まれた表皮材３５の端末部を、後述する取付突部３４に係る構造と干渉しないように配置する配置部としても機能する。
【００２６】
取付突部３４は、図２に示すように、円筒状をなし、内側にビス３６が締結される中空部を有する。取付突部３４には、内装部品側主壁部３２の裏面３２Ｂに連なるとともに、車両前後方向及び車両上下方向に延びる十字状の補強リブ３７が設けられている。取付突部３４及び補強リブ３７は、内装部品側主壁部３２と一体的に形成されている。なお、取付突部３４によりアッパーボード部３０がメインボード部４０に対して取り付けられる取付構成については、後に説明する。
【００２７】
メインボード部４０には、図１に示すように、その一部が車室内側に向かって膨出する形でアームレスト２７Ａが設けられている。アームレスト２７Ａは、ドアトリム２０の車両上下方向における略中央部に配され、車両前後方向に沿って延びている。アームレスト２７Ａは、車両後側の部分がアームレストボード部２７で構成され、アームレストボード部２７の上面が乗員の肘掛けとして使用される。アームレスト２７Ａにおける、アームレストボード部２７の前方には、スイッチベース（不図示）を取り付けるための貫通孔状の取付孔１３が設けられている。また、メインボード部２４には、図２に示すように、インサイドハンドル１４、スピーカグリル１５、ドアポケット１６等が設けられている。
【００２８】
メインボード部４０は、図１に示すように、主壁部２２を構成する本体側主壁部４２と、側壁部２３を構成する本体側側壁部４３と、本体側側壁部４３から主壁部２２（主面２２Ａ）の内方に向けて内装部品側主壁部３２に沿って延びる延長面部５０と、を有している。
【００２９】
本体側主壁部４２は、図１に示すように、略方形状をなし、主壁部２２うち内装部品側主壁部３２の下側の部分を構成している。本体側側壁部４３は、本体側主壁部４２の外周端（車両前端、車両下端、及び車両後端）からそれぞれ車室外側に延設される下側部分４４と、下側部分４４の上端から車両上方に延長され、内装部品側側壁部３３の車室外側に配される上側部分４５と、を有し、側壁部２３の大部分を構成している。
【００３０】
また、メインボード部４０には、図２に示すように、本体側側壁部４３のうち上側部分４５の車室内側の端部から本体側側壁部４３の裏面４３Ｂ側（主壁部２２の内方）に立ち上がる立ち上がり部４６が延設されている。立ち上がり部４６は、上側部分４５に沿って帯状に延び、その車室内側の板面（帯状をなす部分の主面）に内装部品側側壁部３３の端末３３Ｃが配置される構成とされている。このような構成により、例えば、本体側側壁部４３の端末に対して内装部品側側壁部３３の端末３３Ｃが対向配置される構成より、本体側側壁部４３の見切り部分の意匠性を向上することができる。
【００３１】
延長面部５０は、図４に示すように、平面視にて、半円形状をなし、本体側側壁部４３に沿って延びる立ち上がり部４６の一部が、さらにその立ち上がり方向に延長される形で設けられている。言い換えれば、延長面部５０は、その立ち上がり方向における基端部分が立ち上がり部４６として機能する。
【００３２】
延長面部５０は、その延びる方向が、本体側側壁部４３の裏面４３Ｂ側（側壁部２３の表面２３Ａと反対側）に向かう方向とされており、言い換えれば、主壁部２２（主面２２Ａ、ドアトリム２０全体）の中央部（内側）に向かう方向とされている。具体的には、本実施形態のように、延長面部５０が本体側側壁部４３のうち車両後側に設けられた部分から延びる場合には、延長面部５０の延びる方向は車両前方とされている。なお、延長面部が本体側側壁部４３のうち車両前側及び車両下側に設けられた部分から延びる場合には、延長面部の延びる方向はそれぞれ車両後方及び車両上方とされている。
【００３３】
延長面部５０は、図２に示すように、内装部品側主壁部３２の裏面３２Ｂ側に配置され、内装部品側主壁部３２と対向状をなす。内装部品側主壁部３２には、延長面部５０と対向する面３２Ｂから延長面部５０に向かって突出するとともに延長面部５０に対して取り付けられる取付突部３４が設けられる一方、延長面部５０には、取付突部３４が挿通される貫通孔５１が形成されている。
【００３４】
貫通孔５１は、取付突部３４の位置と整合する位置（車室内外方向における取付突部３４と重なる位置）に配されるとともに、取付突部３４の外形とほぼ同じ大きさ及び形状（取付突部３４に対してはめあい公差を有する形状）に形成されている。なお、取付突部３４が延長面部５０に対して取り付けられる取付構成については、後に説明する。
【００３５】
延長面部５０には、図２に示すように、本体側側壁部４３に対して車室内外方向に荷重が入力された際に、当該延長面部５０が貫通孔５１に挿通された取付突部３４に対して主壁部２２（主面２２Ａ）の内方に相対移動することを許容する移動許容部５２が設けられている。
【００３６】
移動許容部５２において、延長面部５０が取付突部３４に対して相対移動する方向は、延長面部５０が本体側側壁部４３から延びる方向と同じ方向とされている。具体的には、当該移動方向は、本体側側壁部４３の裏面４３Ｂ側（側壁部２３の表面２３Ａと反対側）に向かう方向とされており、言い換えれば、主壁部２２（主面２２Ａ、ドアトリム２０全体）の中央部（内側）に向かう方向とされている。当該移動方向は、本実施形態のように、延長面部５０が本体側側壁部４３のうち車両後側に設けられた部分から延びる場合には、車両前方とされている。なお、当該移動方向は、延長面部が本体側側壁部４３のうち車両前側及び下側に設けられた部分から延びる場合には、それぞれ車両後方及び車両上方とされている。
【００３７】
移動許容部５２は、図２及び図４に示すように、延長面部５０に形成された孔状をなし、貫通孔５１と連通して形成されて貫通孔５１とともに長孔５３を構成する。
【００３８】
長孔５３は、図４に示すように、主壁部２２（主面２２Ａ）の外方に向かって延びる形で形成されている。言い換えれば、長孔５３は、延長面部５０において貫通孔５１が本体側側壁部４３側、すなわち、延長面部５０の延長方向における基端部側に延びる形で形成されている。具体的には、本実施形態では、長孔５３は、延長面部５０において貫通孔５１が車両後側に延びる形で形成されている。なお、長孔は、延長面部が本体側側壁部４３のうち車両前側及び下側に設けられた部分から延びる場合には、それぞれ車両前側及び車両下方側に延びる形で形成されている。一方、長孔５３は、延長面部５０において貫通孔５１が本体側側壁部４３とは反対側に延びていない形とされる。すなわち、長孔５３は、貫通孔５１が主壁部２２（主面２２Ａ）の外方にのみ延びる形とされている。
【００３９】
続いて、取付突部３４が延長面部５０に対して取り付けられることにより、アッパーボード部３０がメインボード部４０に対して取り付けられる取付構成について説明する。
取付突部３４は、長孔５３における主壁部２２（主面２２Ａ）の内方側の位置（貫通孔５１に相当する位置）で長孔５３に対して挿通されるとともに長孔５３の孔縁に係止されている。具体的には、取付突部３４は、長孔５３における車両前側の位置で長孔５３に対して挿通されている。そして、取付突部３４は、ビス３６が締結されることにより、補強リブ３７の車室外側の面とビス３６の頭部とで貫通孔５１の孔縁を挟む形で、延長面部５０に対して係止されている。取付突部３４が係止される部分は、長孔５３の孔縁において、主壁部２２の外方側（車両後側）の位置を除く部分、すなわち、車両上側から車両前側を経て車両下側に亘るＣ字状に延びる周部とされている。なお、アッパーボード部３０とメインボード部４０の取り付けに係る締結部は、取付突部３４と延長面部５０で構成される締結部の他にも設けられており、それらの各締結部を締結することで、アッパーボード部３０のメインボード部４０に対する取り付けが完了する。
【００４０】
続いて、本実施形態の作用について説明する。
車両が側面衝突すると、図３に示すように、インナパネル１２が車室内に侵入する。車室内側に侵入したインナパネル１２が本体側側壁部４３に直接または間接的に当接すると、本体側側壁部４３に対して車室外側から車室内側に向けて荷重が入力される。この際、本体側側壁部４３が主壁部２２（主面２２Ａの車室内側にいる搭乗者）とインナパネル１２との間に介在する形となる。
【００４１】
本実施形態では、延長面部５０には移動許容部５２が設けられているから、延長面部５０が本体側側壁部４３に押される態様で、当該延長面部５０が貫通孔５１に挿通された取付突部３４に対して主壁部２２（主面２２Ａ）の内方に相対移動する。具体的には、延長面部５０は、移動許容部５２（長孔５３）内を取付突部３４が移動する態様で、取付突部３４に対して車両前方に移動する。
【００４２】
この際、延長面部５０は補強リブ３７の車室外側の面上をスライドするようにして相対移動する。また、延長面部５０及び立ち上がり部４６の板面が内装部品側側壁部３３の端末３３Ｃに面当たりするようにして相対移動する。このため、例えば、内装部品側側壁部３３の端末３３Ｃが本体側側壁部４３の裏面４３Ｂ側にラップする等して、内装部品側側壁部３３と本体側側壁部４３が干渉することにより延長面部５０のスライドが阻害される虞がない。
【００４３】
延長面部５０が主壁部２２の内方に相対移動すると、延長面部５０に引っ張られるようにして、本体側側壁部４３の車室内側の端部が主壁部２２の内方に引き込まれる。この際、本体側側壁部４３には、その車室内側の端部に主壁部２２の内方に向かう力が作用するとともに車室内外方向に沿って側突時の荷重が入力されている。このため、本体側側壁部４３全体が主壁部２２に対して外側に倒れるようにして、ドアトリム２０が効率よく潰れる。すなわち、本願構成では、例えば、本体側側壁部４３の裏面４３Ｂに溝部等に係る構成を設けることにより、本体側側壁部４３自体を弱体化したり、側壁部２３（本体側側壁部４３）の意匠面２３Ａにおける意匠性を犠牲にしたりする必要がない。
【００４４】
続いて、本願実施形態の効果について説明する。
本実施形態によれば、延長面部５０に移動許容部５２が設けられているから、通常使用時における側壁部２３（本体側側壁部４３）自体の剛性及び意匠性を確保しつつ、車両衝突時には、入力荷重によって延長面部５０が取付突部３４に対して主壁部２２の内方に相対移動することにより、本体側側壁部４３を主壁部２２に対して倒れ易くすることができる。このため、本体側側壁部４３が主壁部２２に対して倒れるようにしてドアトリム２０が潰れることにより、ドアトリム２０が車両衝突時における衝撃エネルギーを効率よく吸収するものとすることができる。そして、車両側突時における衝撃エネルギーをドアトリム２０で吸収し、主壁部２２の車室内側にいる搭乗者への傷害値を低減することができる。
【００４５】
また、本実施形態では、取付突部３４が長孔５３内を移動する態様で、延長面部５０が主壁部２２の内方に相対移動するものとすることができ、移動許容部５２及び貫通孔５１において取付突部３４が移動することを妨げるものがない。このため、例えば、移動許容部５２を主壁部２２の外方に向かって延びるスリット状とする場合や、貫通孔５１の孔縁が弱体化（例えば、薄肉化）された構成に比べて、好適に、本体側側壁部４３を主壁部２２に対して倒れ易くすることができる。
【００４６】
また、本実施形態では、取付突部３４が長孔５３における主壁部２２の内方側の孔縁に係止されるものとすることができ、例えば、主壁部の内方側の孔縁に係止されない構成に比べて、移動許容部５２を設けたことに起因して、取付突部３４が延長面部５０に係止される係止力が低下することを抑制することができる。
【００４７】
＜実施形態２＞
次いで、本発明の実施形態２を、図５を参照しつつ説明する。本実施形態のドアトリム１２０は、上記実施形態１の移動許容部５２と、移動許容部１５２の形状が相違する。なお、上記した実施形態と同様の構造、作用及び効果について重複する説明は省略する。
【００４８】
移動許容部１５２は、延長面部５０に形成された孔状をなし、貫通孔５１と連通して形成されたスリット状とされている。
【００４９】
移動許容部１５２は、貫通孔５１の孔縁における主壁部２２（主面２２Ａ）の外方側の部分（車両後方側の部分）を切り欠くようにして、主壁部２２（主面２２Ａ）の外方に向かって延びる形で形成されている。なお、移動許容部１５２において、延長面部５０が取付突部３４に対して相対移動する方向及び延長面部５０の移動に係る作用は実施形態１に例示した移動許容部５２と同様である。
【００５０】
本実施形態によれば、移動許容部１５２はスリット状をなすから、移動許容部１５２を設けたことに起因して、取付突部３４が延長面部５０に係止される係止力が低下することを、例えば実施形態１に係る構成に比べて抑制することができる。
【００５１】
＜他の実施形態＞
本発明は上記記述及び図面によって説明した実施形態に限定されるものではなく、例えば次のような実施形態も本発明の技術的範囲に含まれる。
【００５２】
（１）上記実施形態では、車両用内装材として、ドアトリムを例示したが、これに限定されない。車両用内装材としては、例えば、クォータートリム、インストルメントパネル、ピラーガーニッシュなどを例示することができる。また、車両において、これらの車両用内装材のうち、一の車両用内装材に本発明を適用する構成であってもよく、複数の車両用内装材の各々に本発明を適用する構成であってもよい。
【００５３】
（２）上記実施形態では、移動許容部として、貫通孔と連通する長孔状の構成とスリット状の構成を例示したが、移動許容部の構成はこれに限られない。移動許容部は、例えば、貫通孔の近傍に設けられた別の孔部（ミシン孔状）であってもよく、移動許容部に係る貫通孔の孔縁の部分を他の孔縁の部分より薄肉化する構成であってもよい。
【００５４】
（３）上記実施形態では、取付突部は延長面部に対して別部品のビスを介して係止される構成を例示したが、これに限られない。取付突部は、例えば、延長面部に対して熱カシメによって係止される構成であってもよい。
【００５５】
（４）上記実施形態では、内装部品としてアッパーボード部を例示し、トリム本体としてメインボード部を例示したが、これに限られない。
【００５６】
（５）上記実施形態では、アッパーボード部（内装部品）が側壁部を構成する内装部品側側壁部を有する構成を例示したが、アッパーボード部は内装部品側側壁部を有しない構成であってもよい。
【００５７】
（６）上記実施形態では、メインボード部（トリム本体）が主壁部を構成する本体側主壁部と、立ち上がり部とを有する構成を例示したが、メインボード部は本体側主壁部または／および立ち上がり部を有しない構成であってもよい。
【００５８】
（７）上記実施形態では、トリムボードがアッパーボード部と、メインボード部で構成されるものを例示したが、これに限定されない。例えば、トリムボードは、さらにオーナメント等を備えていてもよく、また、更に分割されたボード部（ミドルボード部、ロアボード部等）で分割構成されるものであってもよい。
【００５９】
（８）移動許容部が設定される延長面部の数、位置、形状は、適宜設定可能である。
【符号の説明】
【００６０】
２０，１２０…ドアトリム（車両用内装材）、２２…主壁部、２２Ａ…主面、２３…側壁部、３０…アッパーボード部（内装部品）、３２…内装部品側主壁部、３２Ｂ…裏面（延長面部と対向する面）、３４…取付突部、４０…メインボード部（トリム本体）、４３…本体側側壁部、５０…延長面部、５１…貫通孔、５２，１５２…移動許容部、５３…長孔
【図１】
0006260828.tif 000002
【図２】
0006260828.tif 000003
【図３】
0006260828.tif 000004
【図４】
0006260828.tif 000005
【図５】
0006260828.tif 000006